(57)【要約】【課題】リング・ネットワーク・システムの持つ自己復旧機能を損なうことなく、使用する光ファイバの数を減少させる。【解決手段】ノード１０、２０、３０の現用側インターフェース１２、２１、２２、３１と予備側インターフェース１４、２３、２４、３３を、それぞれ光ファイバ７１、７２、７３、７４によって互いに接続する。信号疎通に関与しないノード１０の現用側インターフェース１１とノード３０の現用側インターフェース３２に、光ファイバ７６、７７をそれぞれ折り返し接続する。【選択図】　　図１
2004007289.tif 000002
【特許請求の範囲】
【請求項１】
各々が現用側インターフェースと予備側インターフェースを有する複数のノードを、光伝送路によって互いに接続してなると共に、自動復旧機能を備えたリング・ネットワーク・システムにおいて、
複数の前記ノードの中に現用側インターフェースが信号疎通に関与しないものが含まれており、その信号疎通に関与しない現用側インターフェースの入力端と出力端に光ファイバが折り返し接続されていることを特徴とするリング・ネットワーク・システム。
【請求項２】
複数の前記ノードが、少なくともそれらの予備側インターフェースを介して互いに直線状に接続されてノード列を形成しており、そのノード列の両端に位置する前記ノードの予備側インターフェース同士が光ファイバによって接続されている請求項１に記載のリング・ネットワーク・システム。
【請求項３】
複数の前記ノードが、それらの現用側インターフェースおよび予備側インターフェースを介して互いに直線状に接続されてノード列を形成しており、そのノード列の両端に位置する前記ノードの予備側インターフェース同士が光ファイバによって接続されている請求項１に記載のリング・ネットワーク・システム。
【発明の詳細な説明】
【０００１】
【発明の属する技術分野】
本発明は、リング・ネットワーク・システムに関し、さらに言えば、ライン・プロテクション機能を持つ複数のノードを光ファイバ等の伝送路で接続してなるネットワーク・システムに関する。
【０００２】
【従来の技術】
ＳＯＮＥＴ（Ｓｙｎｃｈｒｏｎｏｕｓ　Ｏｐｔｉｃａｌ　ＮＥＴｔｏｒｋ）のＢＬＳＲ（Ｂｉｄｉｒｅｃｔｉｏｎａｌ　Ｌｉｎｅ　Ｓｗｉｔｃｈｅｄ　Ｒｉｎｇ）ネットワーク・システムは、一般に、複数のノードを光ファイバでリング状に接続したものである。各ノードは、現用側インターフェースと予備側インターフェースを有している。隣接する二つのノード間は、一方のノードの現用側インターフェースと他方のノードの現用側インターフェースとが、光ファイバによって互いに接続され、また、一方のノードの予備側インターフェースと他方のノードの予備側インターフェースとが、光ファイバによって互いに接続される。通常は、現用側のインターフェースと光ファイバを使用してデータ転送が行われるが、現用側の伝送路に障害が生じた場合には、該当するノードの内部において自動的にパスの切り換えが行われ、その区間において現用側伝送路を遮断すると共に、予備側の伝送路に自動的に切り換えられる。こうして、その障害を回避するようになっている。
【０００３】
ＢＬＳＲシステムについての詳細は、文献「ソネット・双方向ラインスイッチト・リング装置　包括的規準」（ベルコア、包括的要件ＧＲ−１２３０−コア・イシュー、１９９３音ｂ１２月）（”ＳＯＮＥＴ　Ｂｉｄｉｒｅｃｔｉｏｎａｌ　Ｌｉｎｅ−Ｓｗｉｔｃｈｅｄ　ＲｉｎｇＥｑｕｉｐｍｅｎｔ　Ｇｅｎｅｒｉｃ　Ｃｒｉｔｅｒｉａ”，　Ｂｅｌｌｃｏｒｅ，　Ｇｅｎｅｒｉｃ　Ｒｅｑｕｉｒｅｍｅｎｔｓ　ＧＲ−１２３０−ＣＯＲＥ　Ｉｓｓｕｒｅ，　Ｄｅｃｅｍｂｅｒ，　１９９３）に記載されている。
【０００４】
【発明が解決しようとする課題】
ＢＬＳＲネットワーク・システムでは、一般に、隣接するノードの間において現用側インターフェース同士と予備側インターフェース同士がそれぞれ光ファイバによって接続される。この接続作業は、従来、各ノードの現用側インターフェースに信号が疎通するか否かを考慮せずに行われている。このため、信号が疎通していない区間の現用側光ファイバーは、信号伝送動作には何ら寄与していないにもかかわらず、当該光ファイバーの敷設工事や保守作業が必要となる、という不都合がある。
【０００５】
そこで、本発明の目的とするところは、リング・ネットワーク・システムの持つ自己復旧機能を損なうことなく、使用する光ファイバの数を減少させることができるリング・ネットワーク・システムを提供することにある。
【０００６】
本発明の他の目的は、リング・ネットワーク・システムの持つ自己復旧機能を損なうことなく、使用する光ファイバの数を最小限にすることができるリング・ネットワーク・システムを提供することにある。
【０００７】
ここに明記しない本発明のさらに他の目的は、以下の説明および添付図面から明らかになる。
【０００８】
【課題を解決するための手段】
（１）本発明のリング・ネットワーク・システムは、各々が現用側インターフェースと予備側インターフェースを有する複数のノードを、光ファイバによって互いに接続してなると共に、自動復旧機能を備えたリング・ネットワーク・システムにおいて、
複数の前記ノードの中に現用側インターフェースが信号疎通に関与しないものが含まれており、その信号疎通に関与しない現用側インターフェースの入力端と出力端に光ファイバが折り返し接続されていることを特徴とするものである。
【０００９】
（２）　本発明のリング・ネットワーク・システムでは、複数の前記ノードの中に現用側インターフェースが信号疎通に関与しないものが含まれており、その信号疎通に関与しない現用側インターフェースの入力端と出力端に光ファイバが折り返し接続されている。このため、当該現用側インターフェースについては光ファイバの敷設と保守が不要となる。このため、当該ネットワーク・システムに使用する光ファイバの数を減少させることができる。よって、信号疎通に関与しない現用側インターフェース毎に光ファイバを折り返し接続していくことにより、使用する光ファイバの数を最小限にすることが可能となる。
【００１０】
また、光ファイバが折り返し接続された前記現用側インターフェースは、当該システムの信号疎通に関与しないので、リング・ネットワーク・システムの自己復旧機能を損なうことがない。
【００１１】
さらに、信号疎通に関与しない前記現用側インターフェースの入力端と出力端には、光ファイバが折り返し接続されているため、「光信号断」と判定されて不要な警報が発せられることを防止できる。
【００１２】
（３）　本発明のリング・ネットワーク・システムの好ましい例では、複数の前記ノードが、少なくともそれらの予備側インターフェースを介して互いに直線状に接続されてノード列を形成しており、そのノード列の両端に位置する前記ノードの予備側インターフェース同士が光ファイバによって接続される。
【００１３】
本発明のリング・ネットワーク・システムの他の好ましい例では、複数の前記ノードが、それらの現用側インターフェースおよび予備側インターフェースを介して互いに直線状に接続されてノード列を形成しており、そのノード列の両端に位置する前記ノードの予備側インターフェース同士が光ファイバによって接続される。
【００１４】
【発明の実施の形態】
以下、本発明の好適な実施の形態について添付図面を参照して詳細に説明する。
【００１５】
（第１実施形態）
図１は本発明の第１実施形態に係るリング・ネットワーク・システムを示す。このシステムは、自動復旧機能を備えている。
【００１６】
図１において、第１実施形態のリング・ネットワーク・システム１は、ライン・プロテクション機能を持つ三つのノード１０、２０、３０を有している。
【００１７】
ノード１０は、現用側インターフェース１１、１２と、予備側インターフェース１３、１４とを持つ。それらインターフェース１１、１２、１３、１４の各々は、光ファイバの端部を接続するための入力端と出力端を有している。
【００１８】
ノード２０は、現用側インターフェース２１、２２と、予備側インターフェース２３、２４とを持つ。それらインターフェース２１、２２、２３、２４の各々は、光ファイバの端部を接続するための入力端と出力端を有している。
【００１９】
ノード３０は、現用側インターフェース３１、３２と、予備側インターフェース３３、３４とを持つ。それらインターフェース３１、３２、３３、３４の各々は、光ファイバの端部を接続するための入力端と出力端を有している。
【００２０】
ノード１０の一方の現用側インターフェース１１は、他のどのノードとも接続されていない。換言すれば、このインターフェース１１は、信号経路Ｐ１、Ｐ２の生成に何ら関与していなく、未使用である。そこで、このインターフェース１１の入力端と出力端には、１本の光ファイバ７６の各端がそれぞれ接続されている。すなわち、図１に示すように、１本の光ファイバ７６が折り返し接続されている。
【００２１】
ノード１０の他方の現用側インターフェース１２は、２本の光ファイバ７１によって、隣接するノード２０の現用側インターフェース２１に接続されている。
【００２２】
ノード１０の一方の予備側インターフェース１３は、２本の光ファイバ７５によって、ノード３０の予備側インターフェース３４に接続されている。ノード１０の他方の予備側インターフェース１４は、２本の光ファイバ７３によって、隣接するノード２０の予備側インターフェース２３に接続されている。
【００２３】
ノード２０の現用側インターフェース２２は、２本の光ファイバ７２によって、隣接するノード３０の現用側インターフェース３１に接続されている。ノード２０の予備側インターフェース２４は、２本の光ファイバ７３によって、ノード３０の予備側インターフェース３３に接続されている。
【００２４】
ノード３０の現用側インターフェース３２は、ノード１０の現用側インターフェース１１と同様に、他のどのノードとも接続されていない。換言すれば、このインターフェース３２は、信号経路Ｐ１、Ｐ２の生成に何ら関与していなく、未使用である。そこで、このインターフェース３２の入力端と出力端には、１本の光ファイバ７７の各端がそれぞれ接続されている。すなわち、図１に示すように、１本の光ファイバ７７が折り返し接続されている。
【００２５】
ノード１０、２０、３０のそれぞれは、障害を検知すると内部においてパスを切り換え、もって信号経路を現用側から予備側に切り換える機能（ライン・プロテクション機能）を持つ。
【００２６】
次に、以上の構成を持つ第１実施形態のリング・ネットワーク・システム１の動作について、図２〜図４を参照しながら説明する。
【００２７】
図２のネットワーク・システムは、図１のシステム１から三つのノード１０、２０、３０を抜き出した構成を持つ。このシステムにおいて、図２のように、現用側伝送路を介して、すなわちノード１０、２０、３０の現用側インターフェース１２、２１、２２、３１と光ファイバ７１、７２とを介して、信号経路Ｐ１とＰ２が生成されていると仮定する。この状態では、予備側伝送路は使用されていない。
【００２８】
そして、図３に示すように、ノード２０と３０の間の区間において現用側の光ファイバ７２（あるいはノード２０、３０のインターフェース２２または３１）に何らかの障害が発生したと仮定する。すると、ノード２０と３０は、障害発生を直ちに検知して内部でパスを切り換え、現用側インターフェース２２と３１を使用不能とすると共に、予備側インターフェース２４と３３を使用可能とする。こうして、障害が発生すると、図３に示すように、ノード２０の現用側インターフェース２１と予備側インターフェース２４とノード３０の予備側インターフェース３３とを使用して、信号経路Ｐ１’とＰ２’が新たに生成される。その結果、信号経路Ｐ１、Ｐ２を流れていたデータやパケットが保護される。
【００２９】
しかし、ノード２０と３０の間の区間において現用側の光ファイバ７２と予備側の光ファイバ７４（あるいはノード２０、３０のインターフェース２２、３１、２４、３３）の双方に何らかの障害が発生してしまうと、図３の構成では、信号経路Ｐ１、Ｐ２を流れていたデータやパケットは保護されない。伝送路の切換えが実行できないから、換言すれば、切り換えるべき経路が存在しないからである。しかし、図１に示すシステム１では、このような場合であっても、信号経路Ｐ１、Ｐ２を流れていたデータやパケットは次のようにして保護される。
【００３０】
すなわち、ノード２０と３０の間の区間において現用側と予備側の双方の線路に何らかの障害が発生すると、ノート２０と３０はその障害を直ちに検知する。そして、図４に示すように、ノード２０の内部では、現用側インターフェース２１と予備側インターフェース２３を接続するので、ノード１０の現用側インターフェース１２は、光ファイバ７３と、ノード１０の予備側インターフェース１４、１３と、光ファイバ７５と、ノード３０の予備側インターフェース３４とを介して、信号経路Ｐ１”、Ｐ２”が新たに生成される。つまり、迂回路として信号経路Ｐ１”、Ｐ２”が生成されるのである。その結果、信号経路Ｐ１、Ｐ２を流れていたデータやパケットが保護される。これは、ＢＬＳＲネットワーク・システムの本来の動作である。
【００３１】
この際、ノード１０の現用インターフェース１１とノード３０の現用インターフェース３２は、システム１の動作に関与していないことが明らかである。よって、現用インターフェース１１に光ファイバ７６を折り返した状態で接続していても、システム１の動作は影響を受けない。
【００３２】
同様に、現用インターフェース３２に光ファイバ７７を折り返し状態で接続していても、システム１の動作は影響を受けない。
【００３３】
よって、リング・ネットワーク・システム１の自己復旧機能を損なうことなく、使用する光ファイバの数を減少させることができる。これは、同機能を損なうことなく、使用する光ファイバの数を最小限にすることができることを意味するものである。
【００３４】
なお、現用インターフェース１１と３２に光ファイバ７６と７７をそれぞれ折り返し状態で接続しているのは、光ファイバを接続しないと、現用インターフェース１１と３２では「光信号断」と判定されて不要な警報が発せられるからである。
【００３５】
なお、現用側インターフェース１１と３２に折り返し接続される光ファイバ７６と７７の長さは、任意である。光ファイバが折り返し接続されていれば足りる。
【００３６】
（第２実施形態）
図５は、本発明の第２実施形態に係るリング・ネットワーク・システム１Ａを示す。本実施形態のシステム１Ａの構成は、ノードの数が６個に増えた以外は図１に示した第１実施形態のシステム１とほぼ同じである。
【００３７】
すなわち、ノード１０、２０、３０の構成は、第１実施形態のそれと同一であるので、第１実施形態と同じ符号を付してその説明を省略する。
【００３８】
ノード１０Ａは、現用側インターフェース１１Ａ、１２Ａと、予備側インターフェース１３Ａ、１４Ａとを持つ。それらインターフェース１１Ａ、１２Ａ、１３Ａ、１４Ａの各々は、光ファイバの端部を接続するための入力端と出力端を有している。
【００３９】
ノード２０Ａは、現用側インターフェース２１Ａ、２２Ａと、予備側インターフェース２３Ａ、２４Ａとを持つ。それらインターフェース２１Ａ、２２Ａ、２３Ａ、２４Ａの各々は、光ファイバの端部を接続するための入力端と出力端を有している。
【００４０】
ノード３０Ａは、現用側インターフェース３１Ａ、３２Ａと、予備側インターフェース３３Ａ、３４Ａとを持つ。それらインターフェース３１Ａ、３２Ａ、３３Ａ、３４Ａの各々は、光ファイバの端部を接続するための入力端と出力端を有している。
【００４１】
ノード１０Ａの一方の現用側インターフェース１１Ａと１２Ａは、他のどのノードとも接続されていない。つまり、これらのインターフェース１１Ａと１２Ａは未使用である。両インターフェース１１Ａと１２Ａには、光ファイバは接続されていない。
【００４２】
ノード１０Ａの一方の予備側インターフェース１３Ａは、２本の光ファイバ７８によって、ノード３０の予備側インターフェース３４に接続されている。ノード１０Ａの他方の予備側インターフェース１４Ａは、２本の光ファイバ７３Ａによって、隣接するノード２０Ａの予備側インターフェース２３Ａに接続されている。
【００４３】
ノード２０Ａの現用側インターフェース２１Ａは、ノード１０の現用側インターフェース１１と同様に、他のどのノードとも接続されていない。換言すれば、このインターフェース２１Ａは、信号経路Ｐ１、Ｐ２の生成に何ら関与していなく、未使用である。そこで、このインターフェース２１Ａには、１本の光ファイバ７１Ａが折り返し接続されている。
【００４４】
ノード２０Ａの現用側インターフェース２２Ａは、２本の光ファイバ７２Ａによって、隣接するノード３０Ａの現用側インターフェース３１Ａに接続されている。ノード２０Ａの予備側インターフェース２４Ａは、２本の光ファイバ７４Ａによって、ノード３０Ａの予備側インターフェース３３Ａに接続されている。
【００４５】
ノード３０Ａの現用側インターフェース３２Ａは、ノード１０の現用側インターフェース１１と同様に、他のどのノードとも接続されていなく、未使用である。このインターフェース３２Ａには、１本の光ファイバ７７Ａが折り返し接続されている。
【００４６】
ノード３０Ａの予備側インターフェース３４Ａは、２本の光ファイバ７５によって、ノード１０の予備側インターフェース１３に接続されている。
【００４７】
ノード１０、２０、３０だけでなく、ノード１０Ａ、２０Ａ、３０Ａのそれぞれも、ライン・プロテクション機能を持つ。
【００４８】
次に、以上の構成を持つ第２実施形態のリング・ネットワーク・システム１Ａの動作は、第１実施形態のリング・ネットワーク・システム１の動作と実質的に同じである。このシステム１Ａでは、ノード１０と３０の間で発生する障害と、ノード２０Ａと３０Ａの間で発生する障害に対して、救済が可能である。
【００４９】
（変形例）
以上説明した第１〜第２の実施形態では、３個あるいは７個のノードが接続されているが、本発明では、接続されるノードの数は２個以上であればよく任意である。また、ノード間の接続も、光ファイバに限定されず、光信号を伝送するものであれば、他の任意の光導波路も使用可能である。
【００５０】
本発明は、上述したＢＬＳＲネットワーク・システムに適用するのが好ましいが、これに限定されず、複数のノードがリング状に接続された他の同様のシステムにも適用可能である。
【００５１】
【発明の効果】
以上説明したように、本発明のリング・ネットワーク・システムによれば、リング・ネットワーク・システムの持つ自己復旧機能を損なうことなく、使用する光ファイバの数を減少させることができる。また、信号疎通に関与しない現用側インターフェース毎に光ファイバを折り返し接続していくことにより、使用する光ファイバの数を最小限にすることができる。
【図面の簡単な説明】
【図１】本発明の第１実施形態に係るリング・ネットワーク・システムの概略構成を示す図である。
【図２】本発明の第１実施形態に係るリング・ネットワーク・システムの動作を説明するための説明図である。
【図３】本発明の第１実施形態に係るリング・ネットワーク・システムの動作を説明するための説明図である。
【図４】本発明の第１実施形態に係るリング・ネットワーク・システにおいて、現用側および予備側の伝送線路の双方に故障が発生した時の迂回路の生成を説明するための説明図である。
【図５】本発明の第２実施形態に係るリング・ネットワーク・システムの概略構成を示す図である。
【符号の説明】
１、１Ａ　リング・ネットワーク・システム
１０、２０、３０、１０Ａ、２０Ａ、３０Ａ　ノード
１１、１２、２１、２２、３１、３２　現用側インターフェース
１１Ａ、１２Ａ、２１Ａ、２２Ａ、３１Ａ、３２Ａ　現用側インターフェース
１３、１４、２３、２４、３３、３４　予備側インターフェース
１３Ａ、１４Ａ、２３Ａ、２４Ａ、３３Ａ、３４Ａ　予備側インターフェース
７１、７２、７３、７４、７５、７６、７７、７８　光ファイバ
【図１】
2004007289.tif 000003
【図２】
2004007289.tif 000004
【図３】
2004007289.tif 000005
【図４】
2004007289.tif 000006
【図５】
2004007289.tif 000007